(57)【要約】【課題】エプロンを浴槽に取付ける際、エプロンが支持されることにより容易にエプロンを取付けることができる、浴槽のエプロン取付け構造を提供する。【解決手段】浴槽１のフランジ部１１の前端から垂下片１４が垂下され、垂下片１４から後方の位置にフランジ部１１から垂下しているエプロン受け部１２が設けられ、エプロン２は垂下片１４と共に浴槽１の壁となる前壁部２１と、前壁部２１の上端から後方へ延設され垂下片１４からエプロン受け部１２までの隙間１５に挿入される挿入部２２とから構成されており、前壁部２１の上端から後方へ挿入部２２が延設されており、エプロン受け部１２の先端から前方へ向けて、エプロン２を支持するエプロン支持部１３を備える。【選択図】図１
2013106815.tif 000002
【特許請求の範囲】
【請求項１】
浴槽のフランジ部の前端から垂下片が垂下され、前記垂下片から後方の位置に前記フランジ部から垂下しているエプロン受け部が設けられ、エプロンは前記垂下片と共に前記浴槽の壁となる前壁部と、前記前壁部の上端から後方へ延設され前記垂下片から前記エプロン受け部までの隙間に挿入される挿入部とから構成されており、前記前壁部の上端から後方へ挿入部が延設されており、前記エプロン受け部の先端から前方へ向けて、前記エプロンを支持するエプロン支持部が設けられることを特徴とする浴槽のエプロン取付構造。
【請求項２】
前記挿入部には下向きにエプロン落下防止凸部が設けられ、前記エプロン支持部には上向きに開口し、前記エプロン落下防止凸部が挿入される、エプロン落下防止凹部をもつことを特徴とする請求項１記載の浴槽のエプロン取付構造。
【発明の詳細な説明】
【技術分野】
【０００１】
本発明は、浴槽のフランジ部と床パンとの間に取付けられるエプロンの取付構造に関する。
【背景技術】
【０００２】
従来より、浴槽のフランジ部と床パンとの間にエプロンを取付けるものが知られている（例えば特許文献１参照）。浴槽のフランジ部の前端から垂下片が垂下され、垂下片から後方の位置にフランジ部から垂下しているエプロン受け部が設けられている。また、エプロンの下端部には、後方に突出するエプロン係止部が設けられており、そして床パンの構成部分である堰部には前方に開口するＣ字状をしたエプロン被係止部が形成されている。
【先行技術文献】
【特許文献】
【０００３】
【特許文献１】特開２０１１−０６７４４３号公報
【発明の概要】
【発明が解決しようとする課題】
【０００４】
ところで、特許文献１に記載された従来のエプロンの取付構造は、エプロンの取付にあたり、垂下片からエプロン受け部までの隙間にエプロンの上端部を挿入し、エプロンを持ち後方へエプロン係止部がエプロン被係止部に係止されるまで回動させる。しかし、それではエプロンを持ち回動させている際、エプロンの全重量を手で支えなければならず、取付が困難になっていた。
【０００５】
本発明は上記従来の問題点に鑑みて発明したものであって、その目的とするところは、エプロンを浴槽に取付ける際、エプロンが支持されることにより容易にエプロンを取付ける、取付け構造を提供することを課題とするものである。
【課題を解決するための手段】
【０００６】
上記課題を解決するために、本発明は、以下のような構成とする。
【０００７】
浴槽のフランジ部の前端から垂下片が垂下され、前記垂下片から後方の位置に前記フランジ部から垂下しているエプロン受け部が設けられ、エプロンは前記垂下片と共に浴槽の壁となる前壁部と、前記前壁部の上端から後方へ延設され前記垂下片から前記エプロン受け部までの隙間に挿入される挿入部とから構成されており、前記エプロン受け部の先端から前方へ向けて、前記エプロンを支持するエプロン支持部が設けられること、を特徴とする。
【０００８】
前記挿入部には下向きにエプロン落下防止凸部が設けられ、前記エプロン支持部には上向きに開口し、前記エプロン落下防止凸部が挿入される、エプロン落下防止凹部をもつことが好ましい。
【発明の効果】
【０００９】
本発明にあっては、エプロンを浴槽に取付ける際、エプロンが支持されることにより容易にエプロンを取付けることができる。
【図面の簡単な説明】
【００１０】
【図１】本発明の概略側断面図である。
【図２】エプロンを取付けた後の概略側断面図である。
【図３】エプロンを取付ける前の概略側断面図である。
【発明を実施するための形態】
【００１１】
以下、本発明を添付図面に示す実施形態に基いて説明する。
【００１２】
本実施形態の浴槽１のエプロン取付構造は、エプロン２の先端と当接するエプロン受け部１２とエプロン２を支持するエプロン支持部１３が備えることに特徴を有する。なお、本実施形態ではエプロン受け部１２とエプロン支持部１３は浴槽１と一体成形により形成されたり、またエプロン受け部１２とエプロン支持部１３が別体で形成され、接着剤等で浴槽１に取付けられる形態でもよい。
【００１３】
ここで、本実施形態では便宜上、浴槽１から洗い場の方向を前方Ｆ、洗い場から浴槽１の方向を後方Ｂとする。
【００１４】
浴槽１のフランジ部１１の前端から垂下片１４が垂下され、垂下片１４から後方Ｂの位置にフランジ部１１から垂下しているエプロン受け部１２が設けられている。
【００１５】
エプロン２は、垂下片１４と略面一の関係で浴槽１の壁となる前壁部２１と、垂下片１４から後方Ｂの位置にあるエプロン受け部１２の間の隙間１５に挿入される挿入部２２から構成されている。なお、浴槽１と前壁部２１の関係は略面一の関係でなくともよい。また、エプロン２の下端部には後方に突出するエプロン係止部２２ｂが設けられている。
【００１６】
本実施形態では挿入部２２が前壁部２１の上端から後方Ｂに延設されており、その先端がエプロン受け部１２の前方Ｆの面との当接部２３となると共に、延設されている挿入部２２の上面の前方Ｆに付勢されるバネ材からなる弾性材２４が設けられている。挿入部２２は隙間１５に挿入されて先端がエプロン受け部１２の前方Ｆの面に当接すると共に、弾性材２４が垂下片１４の後方Ｂの面に弾接して、垂下片１４とエプロン受け部１２とで扶持固定される。なお、本実施形態では挿入部２２と前壁部２１が一体成形されているが、別体となり接着剤等で係止される形態でもよい。
【００１７】
床パン３は洗い場となる洗い場部３１と浴槽１が設置される浴槽設置部３２とに分かれており、洗い場部３１と浴槽設置部３２との境界部には堰部３３が上方に向けて突設してある。また、堰部３３には前方Ｆに開口する略Ｃ字状をしたエプロン被係止部３３ａが設けられている。なお、本実施形態において床パン３は、洗い場部３１と浴槽設置部３２と堰部３３とが一体に形成されているが、洗い場部３１と浴槽設置部３２とが別体で、堰部３３が洗い場部３１と浴槽設置部３２のいずれかに一体に形成されてもよく、堰部３３で別体の洗い場部３１と浴槽設置部３２とを水密的に接続して床パン３が構成されてもよい。
【００１８】
エプロン係止部２２ｂとエプロン被係止部３３ａは、エプロン２を浴槽１に固定させるために用いられる。エプロン係止部２２ｂは、先端と基端との間に膨大部が形成されており、エプロン被係止部３３ａは、無負荷状態では略Ｃ字状の入口が膨大部よりも小さく内部が膨大部よりも大きく、エプロン被係止部３３ａの弾性により入口は拡大可能となっている。エプロン係止部２２ｂの膨大部がエプロン被係止部３３ａの入口を押し広げながら内部に進入し、膨大部が入口から内部に入り込むと入口が復元力により縮小しようとしてエプロン係止部２２ｂを締め付ける。これにより、エプロン係止部２２ｂの膨大部は簡単にエプロン被係止部３３ａから抜けず、エプロン２の抜止めがなされる。
【００１９】
エプロン２を浴槽１に装着する手順について記述する。エプロン２の浴槽１への取付けは、作業者がエプロン２を持ち、挿入部２２を隙間１５に挿入して、エプロン支持部１３に挿入部２２を戴置させ、そしてエプロン２をエプロン係止部２２ｂがエプロン被係止部３３ａに係止されるまで後方Ｂに回動させる。この時、従来形態ではエプロン２を持ち後方Ｂに回動させる際、全重量を支えながら取付を行わなければならなかった。しかし本実施形態では、エプロン支持部１３が設けられたため、エプロン支持部１３に挿入部２２を置いて取付作業を行うことができるので、全重量を支える必要が無く、従来よりも作業が行い易くなっている。
【００２０】
また、エプロン２を持ち後方Ｂに回動している際、エプロン２の先端がエプロン受け部１２から外れて、そのままエプロン２が脱落してしまう虞があった。そこで本実施形態では挿入部２２に、下向きにエプロン落下防止凸部２２ａが設けられ、そしてエプロン支持部１３には上向きにエプロン落下防止凸部２２ａが挿入される、エプロン落下防止凹部１３ａが設けられている。エプロン２に前方に向かう力が発生した際、エプロン落下凸部がエプロン落下防止凹部１３ａに挿入されることにより、エプロン２が止められるので、安全にエプロン２の取付を行うことができる。
【符号の説明】
【００２１】
１    浴槽
１１  フランジ部
１２  エプロン受け部
１３  エプロン支持部
１３ａ  エプロン落下防止部凹部
１４  垂下片
１５  隙間
２    エプロン
２１  前壁部
２２  挿入部
２２ａ  エプロン落下防止部凸部
２２ｂ  エプロン係止部
２３  当接部
２４  弾性材
３    床パン
３１  洗い場部
３２  浴槽設置部
３３  堰部
３３ａ  エプロン被係止部
【図１】
2013106815.tif 000003
【図２】
2013106815.tif 000004
【図３】
2013106815.tif 000005